(57)【特許請求の範囲】
【請求項１】
移動通信システムの通信で、拡散符号の数を表す情報を通信する方法であって、
すべての利用可能なミッドアンブルから、前記拡散符号の数を表す２進ワードの２進要素の値にしたがって１つ以上のミッドアンブルを選択する選択ステップと、
前記２進ワードを表す選択された１つ以上のミッドアンブルを送信する送信ステップと、を備え、
前記利用可能なミッドアンブルは、シフトされた基本ミッドアンブルコードであることを特徴とする移動通信システムの情報通信方法。
【請求項２】
前記利用可能なミッドアンブルは、対応する前記２進ワードの２進要素に関連し、
前記選択ステップは、前記対応する２進要素の値が第１の値である場合には、１つのミッドアンブルを選択し、前記２進要素の値が第２の値である場合には、ミッドアンブルを選択しないことを特徴とする請求項１に記載の移動通信システムの情報通信方法。
【請求項３】
前記２進ワードのビット位置は、前記拡散符号の数に対応することを特徴とする請求項１または請求項２に記載の移動通信システムの情報通信方法。
【請求項４】
前記２進ワードの２進値は、拡散符号のグループ数に対応することを特徴とする請求項１または請求項２に記載の移動通信システムの情報通信方法。
【請求項５】
前記２進ワードのビットの一部は、前記拡散符号の数に対応した記述を表すことを特徴とする請求項１または請求項２に記載の移動通信システムの情報通信方法。
【請求項６】
前記送信ステップは、多数の通信チャンネルにわたって送信するステップを有し、前記２進ワードのビットの一部は、前記多数の通信チャンネルの１つに対する前記拡散符号の数に対応した記述を表すことを特徴とする請求項１または請求項２に記載の移動通信システムの情報通信方法。
【請求項７】
前記選択ステップは、選択されたミッドアンブルを総和するステップを有することを特徴とする請求項１に記載の移動通信システムの情報通信方法。
【請求項８】
基地局と、前記基地局との間で通信する移動局とを有する移動通信システムにおいて、
前記基地局は、
すべての利用可能なミッドアンブルから、前記移動通信システム内の拡散符号の数を表す２進ワードの２進要素の値にしたがって、１つ以上のミッドアンブルを選択し、
前記選択された前記２進ワードを表す１つ以上のミッドアンブルを送信し、
前記利用可能なミッドアンブルは、シフトされた基本ミッドアンブルコードであることを特徴とする移動通信システム。
【請求項９】
前記利用可能なミッドアンブルは、対応する前記２進ワードの２進要素に関連し、
前記選択することは、前記対応する２進要素の値が第１の値である場合には、１つのミッドアンブルを選択することと、前記２進要素の値が第２の値である場合には、ミッドアンブルを選択しないことと、を含むことを特徴とする請求項８に記載の移動通信システム。
【請求項１０】
前記２進ワードのビット位置は、前記拡散符号の数に対応することを特徴とする請求項８に記載の移動通信システム。
【請求項１１】
移動通信システムの基地局において、
前記基地局は、
すべての利用可能なミッドアンブルから、前記移動通信システム内の拡散符号の数を表す２進ワードの２進要素の値にしたがって、１つ以上のミッドアンブルを選択し、
前記選択された前記２進ワードを表す１つ以上のミッドアンブルを送信し、
前記利用可能なミッドアンブルは、シフトされた基本ミッドアンブルコードであることを特徴とする移動通信システムの基地局。
【請求項１２】
前記利用可能なミッドアンブルは、対応する前記２進ワードの２進要素に関連し、
前記選択することは、前記対応する２進要素の値が第１の値である場合には、１つのミッドアンブルを選択することと、前記２進要素の値が第２の値である場合には、ミッドアンブルを選択しないことと、を含むことを特徴とする請求項１１に記載の移動通信システムの基地局。
【請求項１３】
前記２進ワードのビット位置は、前記拡散符号の数に対応することを特徴とする請求項１１に記載の移動通信システムの基地局。
【請求項１４】
基地局との間で通信する１つ以上の移動局を有する移動通信システムにおいて、
前記移動局は、
前記移動局との間で通信する１つの基地局から送信された１つ以上のミッドアンブルを受信し、
受信した１つ以上のミッドアンブルを、基本ミッドアンブルコードに基づくシーケンスと関連付け、
受信した拡散符号の数を表す２進ワードを形成するように構成され、
前記拡散符号は、前記基地局との間で通信する１つ以上の移動局に割り当てられており、
前記受信した２進ワードの２進要素の値は、相関結果における通信チャンネルの評価の有無から決定され、
前記基地局から送信された前記１つ以上のミッドアンブルは、前記拡散符号の数を表す２進ワードの２進要素の値にしたがって、すべての利用可能なミッドアンブルから選択され、
前記利用可能なミッドアンブルは、シフトされた基本ミッドアンブルコードであることを特徴とする移動通信システム。
【請求項１５】
基地局との間で通信する１つ以上の移動局を有する移動通信システムにおいて、
前記移動局は、前記移動局との間で通信する１つの基地局から送信された１つ以上のミッドアンブルを受信するように構成され、
前記基地局から送信された１つ以上のミッドアンブルは、拡散符号の数を表す２進ワードの値にしたがって、利用可能なミッドアンブルから選択され、
前記利用可能なミッドアンブルは、シフトされた基本ミッドアンブルコードであることを特徴とする移動通信システム。
【請求項１６】
移動通信システムの基地局との間で通信する１つ以上の移動局に割り当てられた１つ以上のミッドアンブルを表す情報を通信する方法であって、
前記移動局との間で通信する基地局から送信された１つ以上のミッドアンブルを受信するステップと、
前記受信された１つ以上のミッドアンブルを、基本ミッドアンブルコードに基づくシーケンスと関連付けるステップと、
受信した拡散符号の数を表す２進ワードを形成するステップと、を備え、
前記拡散符号は、前記基地局との間で通信する１つ以上の移動局に割り当てられており、
前記受信した２進ワードの２進要素の値は、相関結果における通信チャンネルの評価の有無から決定され、
前記基地局から送信された前記１つ以上のミッドアンブルは、前記拡散符号の数を表す２進ワードの２進要素の値にしたがって、すべての利用可能なミッドアンブルから選択され、
前記利用可能なミッドアンブルは、シフトされた基本ミッドアンブルコードであることを特徴とする移動通信システムの情報通信方法。
【請求項１７】
移動通信システムの基地局との間で通信する１つ以上の移動局に割り当てられた１つ以上のミッドアンブルを表す情報を通信する方法であって、
前記移動局との間で通信する１つの基地局から送信された１つ以上のミッドアンブルを受信するステップを備え、
前記基地局から送信された１つ以上のミッドアンブルは、拡散符号の数を表す２進ワードの値にしたがって、利用可能なミッドアンブルから選択され、
前記利用可能なミッドアンブルは、シフトされた基本ミッドアンブルコードであることを特徴とする移動通信システムの情報通信方法。
【請求項１８】
移動通信可能な情報を通信する方法であって、
シフトされたウインドウによって得られたすべての利用可能なミッドアンブルの中から１つ以上のミッドアンブルを選択する選択ステップと、
現在の時間スロット内で用いられる拡散符号の数に関する情報を前記移動局に与えるために、前記選択されたミッドアンブルまたは前記選択されたミッドアンブルの総和を汎用ミッドアンブルとして含む信号を前記移動局に送信するステップと、を備え、
前記選択ステップは、前記現在の時間スロット内で用いられる拡散符号の数に関する情報を表すワードにしたがって行われ、
前記利用可能なミッドアンブルは、シフトされた基本ミッドアンブルコードであることを特徴とする移動通信システムの情報通信方法。
【請求項１９】
移動通信可能な情報を通信する方法であって、
シフトされたウインドウによって得られたすべての利用可能なミッドアンブルの中から１つ以上のミッドアンブルを選択する選択ステップと、
現在の時間スロット内で用いられる拡散符号の数に関する情報を前記移動局に与えるために、前記選択されたミッドアンブルまたは前記選択されたミッドアンブルの総和を汎用ミッドアンブルとして含む信号を前記移動局に送信するステップと、を備え、
前記選択ステップは、前記現在の時間スロット内で用いられる拡散符号の数に関する情報を表すワードにしたがって行われ、
前記ワードは、前記利用可能なミッドアンブルの数と同じ多数の２進要素を有し、
前記ワードの各２進要素は、前記利用可能なミッドアンブルの各々に１対１で対応し、
前記利用可能なミッドアンブルは、シフトされた基本ミッドアンブルコードであることを特徴とする移動通信システムの情報通信方法。
【請求項２０】
移動通信可能な情報を通信する方法であって、
シフトされたウインドウによって得られたすべての利用可能なミッドアンブルの中から１つ以上のミッドアンブルを選択する選択ステップと、
現在の時間スロット内で用いられる拡散符号の数に関する情報を前記移動局に与えるために、前記選択されたミッドアンブルまたは前記選択されたミッドアンブルの総和を汎用ミッドアンブルとして含む信号を前記移動局に送信するステップと、を備え、
前記選択ステップは、前記現在の時間スロット内で用いられる拡散符号の数に関する情報を表すワードにしたがって行われ、
選択されるべき特定のミッドアンブルの存在は、前記特定のミッドアンブルに対応する前記拡散符号の数に関する情報を表すワードの２進要素の値が１と等しい場合に示され、
前記特定のミッドアンブルの不在は、前記特定のミッドアンブルに対応する前記拡散符号の数に関する情報を表すワードの２進要素の値が０と等しい場合に示され、
前記利用可能なミッドアンブルは、シフトされた基本ミッドアンブルコードであることを特徴とする移動通信システムの情報通信方法。
【請求項２１】
移動通信可能な情報を通信する方法であって、
シフトされたウインドウによって得られたすべての利用可能なミッドアンブルの中から１つ以上のミッドアンブルを選択する選択ステップと、
現在の時間スロット内で用いられる拡散符号の数に関する情報を前記移動局に与えるために、前記選択されたミッドアンブルまたは前記選択されたミッドアンブルの総和を汎用ミッドアンブルとして含む信号を前記移動局に送信するステップと、を備え、
前記選択ステップは、前記現在の時間スロット内で用いられる拡散符号の数に関する情報を表すワードにしたがって行われ、
前記ワードは、前記利用可能なミッドアンブルの数と同じ多数の２進要素を有し、
前記ワードの各２進要素は、前記利用可能なミッドアンブルの各々に１対１で対応し、
選択されるべき特定のミッドアンブルの存在は、前記特定のミッドアンブルに対応する前記拡散符号の数に関する情報を表すワードの２進要素の値が１と等しい場合に示され、
前記特定のミッドアンブルの不在は、前記特定のミッドアンブルに対応する前記拡散符号の数に関する情報を表すワードの２進要素の値が０と等しい場合に示され、
前記利用可能なミッドアンブルは、シフトされた基本ミッドアンブルコードであることを特徴とする移動通信システムの情報通信方法。
【発明の詳細な説明】
【０００１】
【発明の属する技術分野】
この発明は、移動通信システムの基地局との通信において、移動局にそれぞれ割り当てられている伝送パラメータを表すワード（拡散符号の数を表す情報）を伝送する移動通信システムおよびその情報通信方法ならびに基地局に関する。
【０００２】
【従来の技術】
この発明は、移動局と通信可能な複数の基地局を含む移動通信システムに関する。図１は、３つの移動局ＭＳ１、ＭＳ２およびＭＳ３と通信する基地局ＢＴＳを示す。移動局ＭＳｉから基地局ＢＴＳへの通信はアップリンクＵＬを介して行われ、基地局ＢＴＳから移動局ＭＳｉへの通信はダウンリンクＤＬを介して行われる。
【０００３】
この発明はまた、異なるユーザ信号が時間ドメイン（時間領域）およびコードドメイン（符号領域）双方において分離されている通信システムに関する。このようなシステムの一例として、時間ドメインがＴＤＤ（時分割多重）システムの要素で表され、コードドメインがＣＤＭＡ（符号分割多元接続）システムの要素で表される謂わゆるＵＭＴＳ ＴＤＤシステム（汎用移動通信時分割多重システム）またはＷ−ＣＤＭＡ ＴＤＤシステム（Ｗ-符号分割多元接続時分割多重システム）が挙げられる。
【０００４】
特に、時間ドメイン（領域）においては、伝送は、たとえば、Ｎ個（たとえばＮ＝１５）の時間スロットからなる無線フレームを基に行われる。アップリンク（移動局から基地局へのリンク）並びにダウンリンク（基地局から移動局へのリンク）双方において同じ周波数が用いられる。さらにまた、フレーム毎にＮ個の利用可能な時間スロットの部分集合が排他的にダウンリンク伝送に割り当てられ、残りの時間スロットがアップリンク伝送に割り当てられるように、ダウンリンクとアップリンクとを区別するように時間分離が行われている。なお、１つのフレームにおいては、少なくとも１個の時間スロットが常に各ダウンリンクおよびアップリンクに割り当てられている。
【０００５】
このようなシステムにおいて、異なるユーザの信号は、別個の時間スロットで伝送することができる。たとえば、Ｎ個の異なったダウンリンクのユーザ信号に対してＮ個の異なったダウンリンク時間スロットが割り当てられる。これがシステムの時間ドメインである。さらにまた、異なった拡散符号（spreading codes）を用いて単一の時間スロット内で幾つかのユーザ信号を伝送することもできる。これが、システムのコードドメイン（領域）モードである。
【０００６】
このようなシステムにおいて、任意のエリア内のすべての基地局は同期して動作し、一般に、同じアップリンク／ダウンリンク時間スロット構成（コンフィギュレーション）を共有する。
【０００７】
アップリンクおよびダウンリンク双方において、ユーザのデータは、図２に示すように、第１のデータフィールドＤ１、汎用ミッドアンブル フィールド（midamble field）Ｍおよび第２のデータフィールドＤ２を含むバーストＢ内に配列された時間スロットで伝送される。ミッドアンブルは、複素値のチップ シーケンス（complex-valued chip sequence）であり、ユーザ信号の検索に必要とされるチャンネル評価のために受信局（アップリンクでは基地局ＢＴＳダウンリンクでは移動局）により用いられる。
【０００８】
アップリンクにおいては、基地局ＢＴＳが特定の時間スロットで送信する各移動局毎に個々のチャンネルの評価を必要とするので、各移動局ＭＳｉは異なるミッドアンブルｍ（ｉ） を送出する。
【０００９】
ここで、ミッドアンブルが陽的に移動局に割り当てられていない場合には、割り当てられた拡散符号と特定のミッドアンブルとの間におけるデフォルトの固定の割当ルールが用いられる。
【００１０】
図２に示したダウンリンクにおいては、一般に１つのみのミッドアンブルｍ（ｉ） が、基地局ＢＴＳにより、特定の時間スロット内ですべてのユーザ信号に対して用いられている。その理由は、ダウンリンクにおいては、すべてのユーザは、たとえば基地局ＢＴＳから当該ユーザ自体に対する唯一つのダウンリンク チャンネルを知るだけで良く同一の時間スロットで送信している他のユーザのダウンリンク チャンネルを無視できるからである。しかしながら、たとえば、２つ以上のチャンネル評価が必要とされるような或る状況においては、基地局ＢＴＳにより２つ以上のミッドアンブルを使用するこができる。このような場合には、ミッドアンブルＭはこれら２つ以上のすべてのミッドアンブルの総和で決まる。
【００１１】
連続する時間スロットの適切な時間分離を確保するために、ガード期間Ｇを設けることができる。また、この目的で、信号ビットＳを設けることも可能である。
【００１２】
アップリンクＵＬにおいては、移動局ＭＳｉのデータは、システムにより当該移動局ＭＳｉに割り当てられている複素値拡散符号ａi（単に拡散符号とも称し、複数である場合もある）によってチップレートに拡張される。
【００１３】
ダウンリンクＤＬにおいては、移動局ＭＳｉ宛の各データｄi は、対応の拡散符号ａiにより（図２の１１〜１ｋで示すように）チップレートに拡張され、これらすべての拡張演算の結果は（２０で示すように）総和をとられて、それによりバースト内に含まれるデータＤ１およびＤ２を形成する。
【００１４】
受信側においてブラインド コード検出および複ユーザ検出のような高度の検出アルゴリズムが使用者の信号の検索に用いられる場合に問題が生ずる。このようなアルゴリズムでは所与の時間スロット内で送信しているすべてのユーザからのデータビットが、受信側で同時に復号され且つ判定される。このアルゴリズムのパフォーマンスを最適に実現するためには、受信側の局は、幾つかのパラメータの内でも、特定の時間スロット内でダウンリンクに用いられている拡散符号の数を知る必要がある。
【００１５】
一般に、このようなアルゴリズムを基地局側で実行する場合には、当該基地局はこれらパラメータについての知識を有し得。何故ならば、当該基地局が所属する無線接続ネットワークがこれらパラメータの使用を制御しているからである。
【００１６】
【発明が解決しようとする課題】
しかしながら、問題のアルゴリズムがダウンリンクで移動局側で実行される場合には事情が全く異なる。一般に、同じ時間スロット内に同時に存在する他のユーザの信号に割り当てられている拡散符号の数については、移動局の知るところではない。この事実は、ブラインドコード（符号）検出および複ユーザ検出のようなアルゴリズムを移動局側で実行する場合に由々しい影響をもたらす。
【００１７】
よって、この発明の目的は、同じ時間スロット内に同時に存在する他のユーザの信号に割り当てられていて、上記のような問題を呈さないような仕方でダウンリンクで使用される拡散符号（spreading codes）の数を移動局側で決定する方法を提供することにある。
この発明の他の目的は、いかなる本質的な制限もなしに実行でき、したがって、高速且つ若干の遅延を許容するだけで実行できる方法を提供することにある。
【００１８】
この発明のさらに他の目的は、基地局との通信において、基地局と通信する各移動局が、その移動局に割り当てられているミッドアンブルまたは総和ミッドアンブルを含むバーストで送信し且つ上記ミッドアンブルまたは上記総和のミッドアンブルの各々が上記移動局と上記基地局との間のチャンネル応答を評価するのに用いられるように設計され、上記すべての利用可能なミッドアンブルは、互いにシフトされたそれぞれの予め定められたウインドウに属する唯一の基本ミッドアンブル コード（basic midamble code）の要素だけを保留して、この唯一の基本ミッドアンブル コードから導出され、上記評価は、受信信号を上記基本ミッドアンブル コードに基づくシーケンスと相関をとることによって行われ、チャンネル評価出力は、上記利用可能なミッドアンブルと１対１の関係にある時間位置にあるように設計された移動通信システムで実行されることができる情報伝送方法を提供することにある。
【００１９】
【課題を解決するための手段】
この発明の上記の目的は、移動通信システムの通信で、拡散符号の数を表す情報を通信する方法であって、すべての利用可能なミッドアンブルから、拡散符号の数を表す２進ワードの２進要素の値にしたがって１つ以上のミッドアンブルを選択する選択ステップと、２進ワードを表す選択された１つ以上のミッドアンブルを送信する送信ステップと、を備え、利用可能なミッドアンブルは、シフトされた基本ミッドアンブルコードである移動通信システムの情報通信方法により達成される。
また、具体的には、割り当てられた拡散符号の数を表す内容のワード、すなわち送信ワードを形成し、
基地局から移動局にデータを伝送する際に、各送信バースト内に、すべての利用可能なミッドアンブルから選択されたミッドアンブルの総和から得られる汎用ミッドアンブルを包含し、その際、上記選択は、上記送信されるワードと関連して上記基地局により、選択されるミッドアンブルが上記送信ワードの第１の値に等しい２進要素に対応し、選択されないミッドアンブルが上記送信ワードの第２の値に等しい２進要素に対応するように行われ、
各移動局側では、その移動局が受信した信号を、上記すべてのミッドアンブルの形成中に用いられる基本ミッドアンブルコードに基づくシーケンスと相関をとった後に、上記利用可能なミッドアンブルにそれぞれ対応する評価の時間位置と１対１の関係にある要素を受信ワードとし、その場合、受信ワードの要素は、対応の位置に、基地局と移動局との間のチャンネルの評価が含まれる場合に上記第１の値に等しく、そして上記対応の位置に当該チャンネルの評価が含まれていない場合には上記第２の値に等しくし、以て、上記送信ワードに等しい上記受信ワードで、上記移動局が、上記移動通信システムの基地局と通信する移動局に割り当てられている拡散符号の数を表す情報を伝送するステップを含む移動通信システムの情報通信方法により達成される。
【００２０】
この発明の他の様相によれば、上記伝送されるワードの形成が、複数のまたはすべてのビットにより形成される各状態に、割り当てられた拡散符号の数が対応するような仕方で行われる。
この発明の付加的様相によれば、上記基地局と通信する各移動局のデータが複数のチャンネルを介して伝送され、上記伝送されるワードの形成は、各チャンネル毎に、当各チャンネルに対して同じ複数のビットにより形成される各状態に、複数の割り当てられた拡散符号が対応するように行われる。
【００２１】
この発明の他の付加的な様相によれば、上記各状態は上記割り当てられた拡散符号の数の２進値（２進数の値）に等しい。
この発明の他の様相によれば、状態と拡散符号の数との間の関係を、上記状態の有効ビット数が、割り当て可能な拡散符号の数を表すのに必要なビット数よりも大きい。たとえば、上記状態のビットの各位置に上記拡散符号の数が対応する。
【００２２】
この発明の他の様相によれば、上記拡散符号を拡散符号数群に群別化し、上記状態の有効ビット数の各ビット位置に上記群内の拡散符号の数が対応し、他の有効ビットは上記群と関連付けられる。
この発明の他の付加的な様相によれば、拡散符号の数を、複数のコード数が１つの群に対応するように群別化し上記伝送されるワードの形成を、１つの群に、或る数のビットまたはすべてのビットの１つの状態が対応するように行われる。
【００２３】
この発明の叙上の目的および利点は、図面で示す好適な実施の形態に関する以下の詳細な説明を読むことにより当該技術分野で通常の知識を有する者には明らかになるであろう。
【００２４】
【発明の実施の形態】
実施の形態１．
この発明は、同じバースト内でデータを送信することにより、基地局と通信する移動局に割り当てられている拡散符号の数を記述するワードＷを形成するためにミッドアンブルを使用することを提案するものである。
【００２５】
まず、図３と関連してミッドアンブル（midamble）の形成について説明する。ミッドアンブルは同じ時間スロット内で送信するユーザに特定的なものである。このミッドアンブルは、同じ基本コードＢＭＣ、すなわち、「基本ミッドアンブル コード（basic midamble code）」と呼称されるコードから導出される。この基本ミッドアンブル コードＢＭＣは、ブロックＢを形成するように連鎖しており、各特定のミッドアンブルｍ（ｉ）（kのユーザに対しｉ＝１〜ｋ）は、予め定められたウインドウに所属するブロックＢの要素だけを保留することにより基本ミッドアンブル コードＢＭＣから導出される。特定のミッドアンブルｍ（ｉ） に対応するウインドウは隣接のウインドウに対しｐ個の要素だけシフトしている。
【００２６】
アップリンクにおいて、各移動局ＭＳｉは、基地局ＢＴＳが特定の時間スロット内で送信している各移動局毎に個別にチャンネルを評価する必要があるところから、他のものと異なるミッドアンブルｍ（ｉ） を送出する。
【００２７】
基地局ＢＴＳがそれぞれミッドアンブルｍ（ｉ） を含む複数の移動局ＭＳ１〜ＭＳｋにより送信されるバーストを受信すると、基本ミッドアンブル コードＢＭＣに基づく特定のシーケンスとの相関がとられ、同じ時間スロット内で時間が異なるウインドウでバーストを送信している各ユーザ毎にチャンネル評価出力を発生する。このことは２つのミッドアンブルｍ（２） およびｍ（８） を送出している２つの移動局ＭＳ１およびＭＳ２の場合について図４に示してある。これら２つのチャンネル評価出力は参照符号Ｅ１およびＥ２で示されている。
【００２８】
従来の方式によれば、ダウンリンクでは、一般に、特定の時間スロット内ですべてのユーザ信号に対し唯一のミッドアンブルｍ（ｉ） が基地局ＢＴＳで用いられている。その理由は、ダウンリンクでは、すべてのユーザは、たとえば、基地局ＢＴＳからそれ自身に対する唯一のダウンリンク チャンネルを評価するだけで良く、同じ時間スロット内で送信している他のユーザのダウンリンク チャンネルを無視することができるからである。しかしながら、２つ以上のチャンネル評価が必要となるような状況においては、基地局ＢＴＳは２つ以上のミッドアンブルを使用することができる。
【００２９】
図５は、ｋ個の移動局ｍ（１） 〜ｍ（ｋ） と通信する基地局ＢＴＳにおいて、この発明の実施の形態１にしたがいバーストＢを形成する方式を示す。拡散符号の処理はこの明細書の冒頭で述べたものと同じである。拡張プロセスは、各移動局ｉ用のデータｄiを用いて（１ｉで）実行される。このようにしてすべての拡張されたデータは（２０）で総和をとられ、それによりデータフィールドＤ１およびＤ２が形成される。
【００３０】
各移動局ｉに対応して、図３を参照し先に述べた方法でミッドアンブルｍ（ｉ） が形成される。ワードＷと関連して幾つかのミッドアンブルを選択するように選択ユニット３０が設けられている。ワードＷは、利用可能なミッドアンブルｍ（ｉ） の数と同数の要素ｗi（ｉ＝１〜ｋ）を有しており、したがって、ワードＷの１つの要素ｗiは一義的に１つのミッドアンブルｍ（ｉ） に対応する。すなわち、第１の要素は第１のミッドアンブルに対応し、第２の要素は第２のミッドアンブルに対応し、以下同様である。
【００３１】
制御部４０は、同じ時間スロット内で、基地局ＢＴＳと通信している移動局ＭＳ１〜ＭＳｋに割り当てられた拡散符号の数を記述するようにワードＷを形成する。なお、このワードＷの形成については追って説明する。
【００３２】
すべての選択されたミッドアンブルは総和ユニット５０で総和をとられ、それによりバーストＢの汎用ミッドアンブルＭが形成される。
【００３３】
移動局側（基地局ＢＴＳと通信している移動局の内の１つ）では、ミッドアンブルの形成に用いられる基本ミッドアンブル コードＢＭＣに基づく特定シーケンスとの相関がとられる。その結果が図６に例示してある。図６において、基地局ＢＴＳの制御部４０によって選択される各ミッドアンブルｍ（ｉ） が、当該ミッドアンブルｍ（ｉ） のシフト量にしたがって位置が決まる評価出力を表す。特に、図６の例では、制御部４０により、ミッドアンブルｍ（２）、ｍ（４） およびｍ（８） が選択され、これら３つの評価出力Ｅ１、Ｅ２およびＥ３はそれぞれ、第２の位置（桁）、第４の位置（桁）および第８の位置（桁）に現れている。
【００３４】
相関プロセスの結果として現れる評価出力Ｅ１、Ｅ２およびＥ３は、単一のダウンリンクＤＬに関するものであるので同一であることに留意されたい。
【００３５】
移動局側では常に、ワードＷｒは次のようにして形成される。評価出力が現れる所与の位置において、第１の値、たとえば「１」に等しい２進情報をチェックし、「１」に等しくない場合には、第２の値、たとえば「０」に等しいかがチェックされる。したがって、ワードＷｒは、すべての位置（桁）に対応する２進情報の連鎖である。図６の例では、ワードＷｒは「０１０１０００１」と記すことができる。
【００３６】
ワードＷｒの各要素ｗriがミッドアンブルｍ（ｉ） に対応し、そしてワードＷの各要素ｗiも同じミッドアンブルｍ（ｉ） に対応する場合には、ワードＷｒはワードＷに等しいことが分かる。したがって、ワードＷｒは、ワードＷと同様に、基地局ＢＴＳと通信する移動局ＭＳ１〜ＭＳｋに割り当てられた同じ時間スロット内の拡散符号の数を記述するものである。
【００３７】
ワードＷおよびＷｒは双方共にすべてのユーザによって用いられる拡散符号の数を表すことに留意されたい。
【００３８】
このようにして、各ユーザは、現在の時間スロット内ですべてのユーザに割り当てられている拡散符号の数に関する情報を得ることができ、この情報を、ブラインド コード検出アルゴリズムに対する入力として用い、その検出アルゴリズムの性能および効率を改良することができる。
【００３９】
ここで、ダウンリンクで利用可能なミッドアンブルの数をＮで表すと想定する。
そこで、この発明の実施の形態１について説明すると、送信されたワードＷのｎ個（ｎ≦Ｎ）のビット（有効ビット）は、第１の値（たとえば、「１」）を有するビットおよび第２の値（たとえば、「０」）を有するビットのビット列からなる状態を形成する。これら有効ビットの各状態には、割り当てられた数の拡散符号が対応する。
【００４０】
たとえば、これら有効ビットにより形成される各状態の２進値は、割り当てられた拡散符号の数に等しくすることができる。したがって、最大の拡散符号の数は、２ｎ−１ 個に等しくすることができることに留意されたい。
【００４１】
図７の例では、利用可能なミッドアンブルの数Ｎは「８」に等しく、そして割り当てることができる最大の拡散符号の数は１６＝２４ 個であるので、伝送されるワードＷの有効ビット数ｎは「５」に等しい、すなわち、ｎ＝５である。なお、この例は、評価出力の５つの最上位の時間位置に亙って任意的に構成されたものであり、使用されているこれら時間位置は図示の例と異なり得ることは言うまでもない。
【００４２】
ダウンリンクにｋ個のチャンネルが用いられている場合（たとえば、基地局から信号を送信するのにｋ個のアンテナを用い場合）には、可能なミッドアンブルの量をチャンネル間で等分に分割することができる。したがって、ワードＷの形成は、各チャンネル毎に、各チャンネルに対して同じビット数ｎ（但し、ｎ≦Ｎ）が、割り当てることができるすべての拡散符号の数が対応する状態を形成するような仕方で行うことができる。各状態の２進値は対応の拡散符号の数に等しくするのが有利である。したがって、この場合、各チャンネル毎の最大の拡散符号の数は２ｎ−１ 個に等しくなり得る。ここで、積ｋ×２ｎ−１ は２Ｎ よりも小さくなければならない。
【００４３】
図８の例では、利用可能なミッドアンブルの数は常にＮ＝８個であり、用いられるチャンネルの数は２個であり、しかも割り当てることができる最大の拡散符号の数は１５＝２５ −１個であるので、ワードＷの有効ビット数ｎは４に等しい。すなわち、ｎ＝４である。
【００４４】
ワードＷは２Ｎ 個の状態しか表すことができない。図８においては、割り当てることができる最大の拡散符号の数は１６個であり、ノーコード（no-code）を使用する場合には、１個の追加状態を含めて（１６＋１）個の状態が必要なので、符号数１５と１６を１まとめの群とする。このような群別化（群にすること）が大きな性能劣化をもたらすことはない。
【００４５】
利用可能なミッドアンブル数Ｎが、割り当て可能な拡散符号の数よりも少ない最大状態数（または値）を表すことができるワードＷを構成する場合には、複数個の拡散符号の数は、ワードＷの１つの状態に対応する１つの群にまとめられる。これが図９に示した事例であり、この例においては、３つのミッドアンブルしか利用可能ではない。したがって、ワードＷは２３ −１＝７個の状態を表すことができるに過ぎない。たとえば、状態４に対しては、割り当てられたコード数７および８により形成される群もしくはグループが対応する。
【００４６】
このことは、７個の拡散符号が割り当てられた場合、ワードＷは「１００」となることを意味する。また、８個の拡散符号が割り当てられるとしても同じワードＷが用いられることになる。
【００４７】
別の例においては、割り当てられた拡散符号の数１１、１２および１３により形成される群は状態６に対応する。このことは、１１個の拡散符号が割り当てられた場合、ワードＷは「１１０」となることを意味する。また、１２個または１３個の拡散符号が割り当てられたとしても同じワード「１１０」が用いられることになろう。
【００４８】
状態と拡散符号の数との間の関係は、その状態の有効ビット数が、拡散符号の数を表すのに必要なビット数よりも大きく、したがって、最小の有効ビットが使用されるように設定することができる。それによって得られる利点は、ミッドアンブルのシフトが少なければ少ない程より大きなパワーで、且つ、より容易にそのシフトを検出ができることにある。
【００４９】
図１０には、利用可能なミッドアンブル数Ｎが「８」に等しく且つ割り当て可能な拡散符号の数も「８」である上述の関係の一例が示してある。有効ビットの位置は拡散符号の数に対応すること（たとえば、ワードＷのビット「１」の３番目の位置は数「３」に対応すること）が分かる。
【００５０】
図１１には他の例として利用可能なミッドアンブルの数Ｎが「８」に等しく且つ割り当て可能な拡散符号の数が「１６」である例が示してある。拡散符号の数は群（この例では２つの群）にグループ化してある。すなわち、この例では、１つの群は数「０」〜数「７」からなり、他の群は数「８」〜数「１６」からなる。各群において、有効ビットの位置は拡散符号の数に対応する。残りの有効ビット（この例では、８番目のビット）は群を定義するのに用いられる。図１１の例では、「８」から「１６」までの拡散符号の数に対しては、上記８番目のビットは「１」に設定され、２番目のビットは数「８」からの拡散符号の数に対応する位置に設定されている（たとえば、数「１０」は、８番目および２番目のビットが「１」に等しい状態に対応する）。
【００５１】
【発明の効果】
この発明によれば、各ユーザは、現在の時間スロット内ですべてのユーザに割り当てられている拡散符号の数に関する情報を得ることができ、この情報を、ブラインド コード検出アルゴリズムに対する入力として用い、その検出アルゴリズムの性能および効率を改良することができる。
また、ミッドアンブルのシフトが少なければ少ない程より大きなパワーで、且つ、より容易にそのシフトを検出することができる。
【図面の簡単な説明】
【図１】    この発明が適用される移動局のための通信システムにおけるアップリンクおよびダウンリンクを例示する説明図である。
【図２】  通信システムの基地局におけるバーストの形成を例示する説明図である。
【図３】  通信システムのミッドアンブルの形成を図解する説明図である。
【図４】  通信システムの移動局で実行される相関プロセスの結果の一例を示す説明図である。
【図５】  この発明による方法を実行するために設けられた通信システムの基地局におけるバーストの形成を図解する説明図である。
【図６】  この発明による方法を実行するために設けられた通信システムの移動局側で実行される相関プロセスの結果としてワードＷを形成する一例を示す説明図である。
【図７】  この発明の方法の諸様相によるワードＷの形成を例示する説明図である。
【図８】  この発明の方法の諸様相によるワードＷの形成を例示する説明図である。
【図９】  この発明の方法の諸様相によるワードＷの形成を例示する説明図である。
【図１０】  この発明の方法の諸様相によるワードＷの形成を例示する説明図である。
【図１１】  この発明の方法の諸様相によるワードＷの形成を例示する説明図である。
【図１】
0004707919.tif 000002
【図２】
0004707919.tif 000003
【図３】
0004707919.tif 000004
【図４】
0004707919.tif 000005
【図５】
0004707919.tif 000006
【図６】
0004707919.tif 000007
【図７】
0004707919.tif 000008
【図８】
0004707919.tif 000009
【図９】
0004707919.tif 000010
【図１０】
0004707919.tif 000011
【図１１】
0004707919.tif 000012